(57)【要約】【課題】複数の光記録型の表示媒体への画像を記録する記録装置を小型化すること。【解決手段】光記録型の表示媒体である電子ペーパ、サブ電子ペーパ１７０に画像を記録する記録装置１０は、記録装置１０に保持された複数の表示媒体に対して、それぞれ記録すべき画像情報を取得して、これらの画像情報に応じて記録光源１４１を一方向に移動させて記録光を照射することにより、複数の表示媒体への画像の記録を行う。このときサブ電子ペーパ１７０には、電子ペーパに記録される画像に対応したものを表示させてもよい。【選択図】図４
2010107592.tif 000002
【特許請求の範囲】
【請求項１】
照射された光に応じて記録される画像を表示する光記録型の複数の表示媒体の各々を、予め設定された各位置に保持する保持手段と、
前記保持手段によって保持される各位置の表示媒体に対して記録する画像を示す画像情報を、各位置の表示媒体に対応して取得する取得手段と、
光源を有し、前記保持手段に保持される各位置の表示媒体に対して、前記光源からの光を前記取得手段によって取得された各画像情報に応じて照射する照射手段と
を具備することを特徴とする記録装置。
【請求項２】
前記照射手段が光を照射するときに、前記保持手段に保持される各表示媒体に対して電圧を印加する印加手段であって、前記表示媒体ごとに異なるタイミングで電圧を印加する印加手段をさらに具備する
ことを特徴とする請求項１に記載の記録装置。
【請求項３】
前記保持手段によって特定の位置に保持され、照射された光に応じた表示を、当該光が照射される面とは対向する面に行う光記録型の表示媒体である特定表示媒体をさらに具備する
ことを特徴とする請求項１または請求項２に記載の記録装置。
【請求項４】
前記保持手段に表示媒体が保持された状態において、当該表示媒体に対して外光が照射されないようにする遮光手段をさらに具備し、
前記照射手段は、前記遮光手段により前記表示媒体に外光が照射されない状態のときに、前記表示媒体に光を照射する
ことを特徴とする請求項１乃至請求項２のいずれかに記載の記録装置。
【請求項５】
前記照射手段は、前記保持手段が予め設定された各位置全てに表示媒体が保持された状態のときに、各表示媒体に光を照射する
ことを特徴とする請求項１乃至請求項２のいずれかに記載の記録装置。
【請求項６】
前記保持手段によって保持される前記特定表示媒体以外の表示媒体から、当該表示媒体に記憶された情報を取得する表示媒体情報取得手段と、
前記表示媒体情報取得手段によって取得された情報に応じた画像を示す画像情報を生成する生成手段と
をさらに具備し、
前記取得手段によって前記特定表示媒体に対応して取得される画像情報は、前記生成手段によって生成された画像情報である
ことを特徴とする請求項３に記載の記録装置。
【請求項７】
前記保持手段によって保持される前記特定表示媒体以外の表示媒体に対応して、前記取得手段によって取得される画像情報に応じた画像を示す画像情報を生成する生成手段をさらに具備し、
前記取得手段によって前記特定表示媒体に対応して取得される画像情報は、前記生成手段によって生成された画像情報である
ことを特徴とする請求項３に記載の記録装置。
【請求項８】
自装置内の情報を取得して、当該情報に応じた画像を示す画像情報を生成する生成手段をさらに具備し、
前記取得手段によって前記特定表示媒体に対応して取得される画像情報は、前記生成手段によって生成された画像情報である
ことを特徴とする請求項３に記載の記録装置。
【請求項９】
前記照射手段が光を照射するときに、前記保持手段に保持される各表示媒体に対して、共通のタイミングで電圧を印加する印加手段をさらに具備する
ことを特徴とする請求項１に記載の記録装置。
【発明の詳細な説明】
【技術分野】
【０００１】
本発明は、記録装置に関する。
【背景技術】
【０００２】
特許文献１には、光記録型の表示媒体に光を照射することにより、画像を表示媒体に記録する技術が開示されている。
【特許文献１】特開２００７−２９９０１６号公報
【発明の開示】
【発明が解決しようとする課題】
【０００３】
本発明は、複数の光記録型の表示媒体への画像を記録する記録装置を小型化することを目的とする。
【課題を解決するための手段】
【０００４】
本発明の請求項１に係る記録装置は、照射された光に応じて記録される画像を表示する光記録型の複数の表示媒体の各々を、予め設定された各位置に保持する保持手段と、前記保持手段によって保持される各位置の表示媒体に対して記録する画像を示す画像情報を、各位置の表示媒体に対応して取得する取得手段と、光源を有し、前記保持手段に保持される各位置の表示媒体に対して、前記光源からの光を前記取得手段によって取得された各画像情報に応じて照射する照射手段とを具備することを特徴とする。
【０００５】
本発明の請求項２に係る記録装置は、請求項１の構成において、前記照射手段が光を照射するときに、前記保持手段に保持される各表示媒体に対して電圧を印加する印加手段であって、前記表示媒体ごとに異なるタイミングで電圧を印加する印加手段をさらに具備することを特徴とする。
【０００６】
本発明の請求項３に係る記録装置は、請求項１または請求項２の構成において、前記保持手段によって特定の位置に保持され、照射された光に応じた表示を、当該光が照射される面とは対向する面に行う光記録型の表示媒体である特定表示媒体をさらに具備することを特徴とする。
【０００７】
本発明の請求項４に係る記録装置は、請求項１乃至請求項２のいずれかの構成において、前記保持手段に表示媒体が保持された状態において、当該表示媒体に対して外光が照射されないようにする遮光手段をさらに具備し、前記照射手段は、前記遮光手段により前記表示媒体に外光が照射されない状態のときに、前記表示媒体に光を照射することを特徴とする。
【０００８】
本発明の請求項５に係る記録装置は、請求項１乃至請求項２のいずれかの構成において、前記照射手段は、前記保持手段が予め設定された各位置全てに表示媒体が保持された状態のときに、各表示媒体に光を照射することを特徴とする。
【０００９】
本発明の請求項６に係る記録装置は、請求項３の構成において、前記保持手段によって保持される前記特定表示媒体以外の表示媒体から、当該表示媒体に記憶された情報を取得する表示媒体情報取得手段と、前記表示媒体情報取得手段によって取得された情報に応じた画像を示す画像情報を生成する生成手段とをさらに具備し、前記取得手段によって前記特定表示媒体に対応して取得される画像情報は、前記生成手段によって生成された画像情報であることを特徴とする。
【００１０】
本発明の請求項７に係る記録装置は、請求項３の構成において、前記保持手段によって保持される前記特定表示媒体以外の表示媒体に対応して、前記取得手段によって取得される画像情報に応じた画像を示す画像情報を生成する生成手段をさらに具備し、前記取得手段によって前記特定表示媒体に対応して取得される画像情報は、前記生成手段によって生成された画像情報であることを特徴とする。
【００１１】
本発明の請求項８に係る記録装置は、請求項３の構成において、自装置内の情報を取得して、当該情報に応じた画像を示す画像情報を生成する生成手段をさらに具備し、前記取得手段によって前記特定表示媒体に対応して取得される画像情報は、前記生成手段によって生成された画像情報であることを特徴とする。
【００１２】
本発明の請求項９に係る記録装置は、請求項１の構成において、前記照射手段が光を照射するときに、前記保持手段に保持される各表示媒体に対して、共通のタイミングで電圧を印加する印加手段をさらに具備することを特徴とする。
【発明の効果】
【００１３】
本発明の請求項１に記載の発明によれば、一の記録装置で複数の光記録型の表示媒体へ画像を記録することができる。
本発明の請求項２に記載の発明によれば、同構成を有しない場合に比べ、電圧印加により消費する電力を少なくすることができる。
本発明の請求項３に記載の発明によれば、特定表示媒体を記録装置から取り外さずに、記録された画像を視認することができる。
本発明の請求項４に記載の発明によれば、同構成を有しない場合に比べ、表示媒体に係る表示のコントラストを向上させることができる。
本発明の請求項５に記載の発明によれば、同構成を有しない場合に比べ、表示媒体に係る表示のコントラストを向上させることができる。
本発明の請求項６に記載の発明によれば、画像を記録させる表示媒体に係る情報を視認することができる。
本発明の請求項７に記載の発明によれば、表示媒体に記録する画像に係る情報を視認することができる。
本発明の請求項８に記載の発明によれば、記録装置内の装置状況を視認することができる。
本発明の請求項９に記載の発明によれば、複数の表示媒体への書き込みを早くすることができる。
【発明を実施するための最良の形態】
【００１４】
以下、本発明の一実施形態について説明する。
【００１５】
＜実施形態＞
図１は、本発明の一実施形態である記録装置１０の構成を示すブロック図である。同図に示す記録装置１０は、光記録型の表示媒体である電子ペーパ２０に画像の記録、消去（初期化）を行う装置であって、制御部１１０、記憶部１２０、電圧印加部１３０、記録光発生部１４０、ＲＦＩＤリーダライタ部１５０、電源部１６０、サブ電子ペーパ１７０、操作部１８０、情報取得部１９０を備える。
【００１６】
次に、記録装置１０の各構成について説明する。制御部１１０は、ＣＰＵ（Central Processing Unit）などの演算装置を備え、記憶部１２０に記憶された制御プログラムを実行することで、バス１００を介して記録装置１０を構成している各部の動作を制御する。
【００１７】
記憶部１２０は、例えば、ＨＤＤ（Hard Disk Drive）、ＲＯＭ（Read Only Memory）やＲＡＭ（Random Access Memory）などで構成され、制御部１１０によって実行される制御プログラムや、電子ペーパ２０およびサブ電子ペーパ１７０が表示する画像情報を記憶する。また、制御部１１０がプログラムを実行するときの作業用データを格納する。なお、制御プログラムや画像情報は後述する情報取得部１９０から得て、記憶部１２０に記憶しても良い。
【００１８】
電圧印加部１３０は、後述する電子ペーパ２０とサブ電子ペーパ１７０に対して、画像の記録、初期化を行うときに、それぞれに電圧印加を行う機能を有する。サブ電子ペーパ１７０への電圧印加は、制御部１１０の制御に応じて行われる。また、電圧印加部１３０は、電極１３１を備え、電子ペーパ２０が記録装置１０に保持されているときには、後述する電子ペーパ２０の電極２０１と電極１３１が電気的に接触する。電圧印加部１３０は、この電極１３１を通じて、保持される電子ペーパ２０に対して、制御部１１０の制御に応じた電圧を印加する。
【００１９】
記録光発生部１４０は、記録光源１４１を備え、電子ペーパ２０およびサブ電子ペーパ１７０に画像を記録、初期化するときに照射する光（後述する記録光１４１ａ）を発生する。この例においては、記録光源１４１は、複数のＬＥＤ（Light Emitting Diode）が線状に配置され、画像を記録する解像度に応じた範囲に各ＬＥＤの光を収束するレンズを備えたＬＥＤアレイである。記録光源１４１は、制御部１１０により各ＬＥＤの明滅が制御されるとともに、電子ペーパ２０の記録面２０ｂ、およびサブ電子ペーパ１７０の記録面１７０ｂに沿って移動するように制御され、電子ペーパ２０の記録面２０ｂ、およびサブ電子ペーパ１７０の記録面１７０ｂに対して記録光１４１ａを走査して照射する。なお、ＬＥＤアレイを用いて線状の記録光１４１ａを走査するだけでなく、半導体レーザなどを用いたスポット状の記録光１４１ａを回転するポリゴンミラーなどの反射物に反射させて、走査しても良い。
【００２０】
ＲＦＩＤ（Radio Frequency IDentification）リーダライタ部１５０は、後述する電子ペーパ２０に設けられたＲＦＩＤタグ２０２に記憶されている情報を読み出し、制御部１１０に読み出した情報を通知する機能と、制御部１１０の指示に応じた情報をＲＦＩＤタグ２０２に記憶させる機能を有する。電子ペーパ２０が記録装置１０に保持されると、ＲＦＩＤタグ２０２と、ＲＦＩＤリーダライタ部１５０が接近する。ＲＦＩＤリーダライタ部１５０は、ＲＦＩＤタグ２０２が接近して通信可能な範囲内に位置すると、ＲＦＩＤタグ２０２に記憶されている情報を読み出し、制御部１１０に読み出した情報を通知する。また、ＲＦＩＤリーダライタ部１５０は、制御部１１０からＲＦＩＤタグ２０２に記憶させる情報が送られてくると、その情報をＲＦＩＤタグ２０２に記憶させる。
【００２１】
電源部１６０は、例えばリチウムイオン蓄電池などの電池１６１を内蔵し、バス１００を介して記録装置１０の各部に電力を供給する。また、電源部１６０は、記録装置１０の外部の外部電源と接続し、外部電源の電力を記録装置１０の各部に供給するとともに、電池１６１への充電を行うようにしてもよい。制御部１１０の要求により、電源部１６０は、電池１６１の残量、外部電源の接続の有無などの情報を出力する。
【００２２】
サブ電子ペーパ１７０は、記録装置１０に固定されて保持されている表示媒体である。サブ電子ペーパ１７０に表示される画像は、例えば、電池１６１の残量、記録装置１０の稼動状況、外部電源の接続の有無などの記録装置１０の情報に係る表示、電子ペーパ２０に記録される画像の縮小画像である「サムネイル」の表示、画像情報の名称などの電子ペーパ２０に記録される画像の従属情報を示す表示、ＲＦＩＤタグ２０２に記憶されている情報に係る表示などである。
【００２３】
サブ電子ペーパ１７０の構成は、この例においては、後述する図３を用いた電子ペーパ２０の構成から、ＲＦＩＤタグ２０２と電極２０１を除いたものであり、サブ電子ペーパ１７０の透明電極（透明電極２２０、２６０に相当）には、電圧印加部１３０から電圧の印加が行われる。また、記録された画像の表示を行う表示面１７０ａと、記録光源１４１からの光を照射して画像の記録を行う記録面１７０ｂとがサブ電子ペーパ１７０における対向した面のそれぞれに対応している。サブ電子ペーパ１７０は、表示面１７０ａを利用者が視認でき、記録面１７０ｂに記録光源１４１からの光が照射されるように、記録装置１０に固定されている。すなわち、表示面１７０ａは記録装置１０の外部に向き、記録面１７０ｂは記録装置１０の内部に向くように記録装置１０に固定されて保持されている。
【００２４】
操作部１８０は、利用者が記録装置１０に対して選択、確認、取り消しなどの指示を行うための操作を行うタッチパネル、キーボードなどの操作手段であって、操作内容を示す情報を制御部１１０に出力する。
【００２５】
情報取得部１９０は、記録装置１０の外部より、制御プログラム、画像情報などの各種情報を取得する。この例においては、有線、無線などによる通信手段を用いて情報取得の機能を実現している。なお、記録装置１０の外部より、各種情報を取得する機能があれば、通信手段に限らず、ＵＳＢメモリ、メモリカードなどの半導体メモリ、ＣＤ、ＤＶＤなどの光ディスクなどから取得するインターフェースであってもよい。後述する制御部１１０による画像情報などは情報取得部１９０によって取得されたものを用いてもよい。
【００２６】
次に、電子ペーパ２０の各構成について説明する。この例においては、電子ペーパ２０は、照射された光に応じて記録される画像を表示する光記録型の表示媒体である。図２は、電子ペーパ２０を上面から見た構成を示す図である。電子ペーパ２０はユーザに閲覧可能な表示を行う装置であって、２つの電極２０１、ＲＦＩＤタグ２０２、記録領域２０３、フレーム２０４を備える。
【００２７】
図３は、電子ペーパ２０の断面の構成を説明する図である。電子ペーパ２０は、画像が記録、表示される記録領域２０３に、フィルム基板２１０、２７０、透明電極２２０、２６０、光導電層２３０、着色層２４０、および表示素子層２５０を備え、記録領域２０３外に透明電極２２０、２６０のそれぞれと電気的に接続された２つの電極２０１、ＲＦＩＤタグ２０２、そして、それらを保持する外枠であるフレーム２０４を備える。
【００２８】
以下、図２と図３を用いて、電子ペーパ２０の各構成を説明する。電極２０１は、２つ存在して、それぞれが電子ペーパ２０の透明電極２２０、２６０と電気的に接続されている。また、電極２０１は、後述するフレーム２０４によって外部から電気的接続可能な状態で固定されている。電極２０１は、記録装置１０に電子ペーパ２０を保持させたときに、電極１３１と電気的に接触する位置に配置されている。
【００２９】
ＲＦＩＤタグ２０２は、電子ペーパ２０に付随する情報を記憶しており、ＲＦＩＤリーダライタ部１５０に近づき、通信範囲内に位置すると、ＲＦＩＤリーダライタ部１５０の要求に応じて、記憶されている情報を送信する。また、ＲＦＩＤリーダライタ部１５０からの情報の記録の要求により、ＲＦＩＤリーダライタ部１５０から送られた情報を記憶する。電子ペーパ２０に付随する情報とは、例えば、電子ペーパ２０の累積書き換え回数値、所有者の名称、電子ペーパ２０に表示されている画像に応じた従属情報、例えばファイル名、ページ番号、タグ、印刷日時などである。この例においては、ＲＦＩＤタグ２０２はフレーム２０４の中に収納されている。
【００３０】
記録領域２０３は、電子ペーパ２０の画像が記録される領域である。記録領域２０３はフレーム２０４に保持されている。この例においては、記録された画像の表示を行う表示面２０ａと、記録光源１４１からの光を照射して画像の記録を行う記録面２ｂとが電子ペーパ２０における対向した面のそれぞれに対応している。なお、電子ペーパ２０は、表示面２０ａと記録面２０ｂが同一の面となる構成としてもよい。記録領域２０３における各構成について説明する。
【００３１】
図３に示すように、フィルム基板２１０、２７０は、電子ペーパ２０の表面を保護するために設けられた層であり、例えばＰＥＴ（ポリエチレンテレフタレート）により構成される。フィルム基板２１０は記録面２０ｂ側であり記録光１４１ａを照射する側の面である。フィルム基板２７０は表示面２０ａ側であり記録された画像を使用者が視認する側の面である。
【００３２】
透明電極２２０、２６０は、例えばＩＴＯ（酸化インジウム錫）から構成される層である。上述したように、透明電極２２０、２６０に接続された電極２０１と、記録装置１０の電極１３１とが電気的に接続され、制御部１１０の制御により電圧印加部１３０が電極１３１に電圧を印可すると、透明電極２２０、２６０間に電位差が生じる。光導電層２３０は、照射される光の強度に応じてその導電率を異ならせる導電体の層である。光導電層２３０は、例えば有機光導電体を用いる。着色層２４０は、表示素子層２５０が光を通過する場合に観察される層であり、あらかじめ決められた色、例えば黒色になっている。
【００３３】
表示素子層２５０は印加される電圧に応じて光の反射状態を異ならせる表示素子を含む層である。表示素子層２５０は、バインダー樹脂中にマイクロカプセル状のコレステリック液晶表示素子を分散させたものである。コレステリック液晶表示素子は、配向状態として、プレーナ配向状態とフォーカルコニック配向状態とになりうる。コレステリック液晶表示素子は、プレーナ配向状態の場合は光を反射（ブラッグ反射）して、あらかじめ決められた色を呈し、フォーカルコニック配向状態にある場合は光を透過して着色層２４０の色を呈する。以上が、記録領域２０３における各構成の説明である。
【００３４】
フレーム２０４は、電極２０１、ＲＦＩＤタグ２０２、記録領域２０３を構成する各部を保持する。また、フレーム２０４は、外光が透過せず、２つの電極２０１間が電気的に短絡しないように絶縁する部材で構成されている。
【００３５】
電子ペーパ２０への画像の記録は、以下のように行う。まず、記録装置１０に電子ペーパ２０を保持させ、制御部１１０の制御によって、電圧印加部１３０に電圧を発生させ、透明電極２２０、２６０間に予め設定された記録電圧を印加した状態で記録光発生部１４０により記録面２０ｂに記録光１４１ａを照射した後に、記録電圧の印加を停止すると記録光１４１ａの照射に応じた画像が表示面２０ａに表示される。
【００３６】
一方、電子ペーパ２０に記録された画像を消去して初期化するには、制御部１１０の制御によって、透明電極２２０、２６０間に予め設定されたリセット電圧を加えた状態で記録面２０ｂに対して、記録光源１４１、または図示しないリセット光源などを用いてリセット光を照射し、その後、リセット電圧の印加を停止することで行う。電子ペーパ２０の初期化は、画像の記録の前に行われる。以上が、電子ペーパ２０の構成の説明である。なお、上述した電子ペーパ２０の構成は、サブ電子ペーパ１７０にも適用される。サブ電子ペーパ１７０における表示面１７０ａ、記録面１７０ｂは、電子ペーパ２０の表示面２０ａ、記録面２０ｂにそれぞれ対応する。
【００３７】
図４は記録装置１０を上から見た構成を示す図である。図５は記録装置１０の側面から見た断面の構成を示す図である。以下、記録装置１０の各部について、図４、図５を用いて説明する。
【００３８】
筐体１０１ａ、１０１ｂは、記録装置１０のケースであり、記録装置１０の構成する各部を保持し、外光を遮光するとともに、電気的な短絡が起きないように絶縁を行う樹脂などの部材で構成される。筐体１０１ａは、透明板１０２ａ、１０２ｂとともに、内部空間を構成し、後述するように、記録光源１４１は、内部空間内を移動するようになっている。また、筐体１０１ａは、透明板１０２ａに対応した位置にサブ電子ペーパ１７０の記録面１７０ｂが配置されるように、サブ電子ペーパ１７０を保持する。
【００３９】
筐体１０１ｂは、筐体１０１ａと接続するとともに、記録装置１０に電子ペーパ２０を保持する保持手段であって、電極１３１およびＲＦＩＤリーダライタ部１５０が設けられている。筐体１０１ｂが電子ペーパ２０を保持したときには、電極１３１が電子ペーパ２０の電極２０１と電気的に接続され、ＲＦＩＤリーダライタ部１５０の通信範囲内に、電子ペーパ２０のＲＦＩＤタグ２０２が位置するように、電極１３１、ＲＦＩＤリーダライタ部１５０が配置されている。なお、筐体１０１ａには、制御部１１０、記憶部１２０、電圧印加部１３０、記録光発生部１４０、電源部１６０、操作部１８０、情報取得部１９０が設けられている（図示略）。
【００４０】
透明板１０２ａは、サブ電子ペーパ１７０の記録面１７０ｂに対して、筐体１０１ａの内部空間から後述する記録光源１４１によって照射される記録光１４１ａを通過させる光学ガラスや透明樹脂などの透光性部材である。透明板１０２ａは、サブ電子ペーパ１７０に覆われているから、筐体１０１ａの内部空間への外光は遮蔽されている。なお、透明板１０２ａは、筐体１０１ａに固定されるサブ電子ペーパ１７０によって覆われているから、用いられなくてもよい。
【００４１】
透明板１０２ｂは、記録装置１０に保持されている電子ペーパ２０の記録面２０ｂに対して、筐体１０１ａの内部空間から後述する記録光源１４１によって照射される記録光１４１ａを通過させる光学ガラスや透明樹脂などの透光性部材である。電子ペーパ２０が記録装置１０に保持されているときには、電子ペーパ２０は、透明板１０２ｂを覆い、筐体１０１ａの内部空間への外光を遮蔽する。透明板１０２ａ、１０２ｂを構成する透光性部材は、例えば記録光１４１ａを低損失で通過させ、光のゆがみや歪みの少ない物性であることが望ましい。透明板１０２ａと透明板１０２ｂとは、記録光源１４１の移動方向に沿って配置されている。
【００４２】
記録光源１４１は、制御部１１０の制御により、記録光１４１ａを照射するとともに、筐体１０１ａの内部空間をＡＲ１方向に移動する。これにより、サブ電子ペーパ１７０の記録面１７０ｂと、電子ペーパ２０の記録面２０ｂとに対する記録光１４１ａの照射を、この記録光源１４１で行うようになっている。また、記録光源１４１は、電子ペーパ２０およびサブ電子ペーパ１７０の画像の記録前の初期状態においては、図４、図５に示すように、筐体１０１ａの内部空間周辺部であって、サブ電子ペーパ１７０が配置される側に位置するように制御される。
【００４３】
次に、記録装置１０の動作について、図４、図５、図６を用いて説明する。まず、利用者は、電子ペーパ２０を透明板１０２ｂ側に記録面２０ｂが対向するように置き、電子ペーパ２０の電極２０１側から筐体１０１ｂに差し込むと、電子ペーパ２０が記録装置１０に保持される。これにより、電子ペーパ２０の保持により記録装置１０に内蔵された２つの電極１３１のそれぞれは、電子ペーパの２つの電極２０１のそれぞれと電気的に接触する。また、記録装置１０の透明板１０２ｂは電子ペーパ２０によって覆われ、筐体１０１ａの内部空間への外光が遮蔽される。
【００４４】
また、ＲＦＩＤタグ２０２がＲＦＩＤリーダライタ部１５０の通信範囲内に位置すると、ＲＦＩＤリーダライタ部１５０によって、ＲＦＩＤタグ２０２が記憶している情報が読み出され、制御部１１０に対して、読み込んだ情報を通知される。制御部１１０は、ＲＦＩＤリーダライタ部１５０からの通知などによって電子ペーパ２０が保持されたことを認識する。なお、制御部１１０は、電子ペーパ２０が保持されたことを検出するセンサなどを用いて、電子ペーパ２０の保持を認識してもよい。
【００４５】
制御部１１０は、ＲＦＩＤタグ２０２から読み出した情報を記憶部１２０に記憶し、利用者に対して、電子ペーパ２０に表示されている画像の書き換えをしても良いかの問い合わせを以下のように行う。
【００４６】
まず、制御部１１０は、電池１６１の残量、記録装置１０の稼動状況、ＲＦＩＤタグ２０２から読みとった従属情報、この例においては、ファイル名、ページ番号、および「画像の書き換えをしても良いか？」というメッセージをサブ電子ペーパ２０の表示サイズに応じてパターン化した画像を示す画像情報（以下、サブ電子ペーパ２０に記録する画像を示す画像情報をサブ画像情報という）の生成を行って、記憶部１２０に記憶する。なお、電池１６１の残量、記録装置１０の稼動状況は、制御部１１０が、サブ画像情報を生成する前に各部から各情報を取得して認識するようにすればよい。
【００４７】
そして、操作部１８０の操作（例えば、情報表示ボタンの操作）などにより、サブ電子ペーパ１７０への表示が指示されると、制御部１１０は、記憶部１２０に記憶したサブ画像情報を取得し、電圧印加部１３０、記録光発生部１４０を制御して、サブ電子ペーパ１７０に対して、サブ画像情報に応じた記録光１４１ａを照射する。これにより、図６（ａ）に示す初期状態の位置の記録光源１４１は、ＡＲ２方向に移動しながら、サブ電子ペーパ１７０の記録面１７０ｂに対して記録光１４１ａを走査して照射し、照射が終了すると停止する（図６（ｂ）参照）。このとき、サブ電子ペーパ１７０に対しての電圧印加は行われるが、電子ペーパ２０に対しては、電圧は印加されない。
【００４８】
電圧印加部１３０による記録電圧の印加が停止すると、サブ電子ペーパ１７０の表示面１７０ａには、生成した画像情報に応じた表示、すなわち電子ペーパ２０に表示されている画像の題名及び作者名と「画像の書き換えをしても良いか？」というメッセージが表示面１７０ａに表示される。そして、制御部１１０は、記録光源１４１を初期状態の位置（図６（ａ）参照）に移動させる。
【００４９】
利用者は、操作部１８０を操作して、画像の書き換えの指示を出すと、制御部１１０は、電子ペーパ２０に記録される候補となる画像を示す画像情報を記憶部１２０から取得して、これらの画像の縮小画像である「サムネイル」、その画像情報に係る従属情報などをパターン化したサブ画像情報を生成し、記憶部１２０に記憶する。そして、制御部１１０は、上述したようにして、サブ電子ペーパに対してサブ画像情報に係る画像を記録する。なお、候補となる画像を示す画像情報の取得は、ＲＦＩＤタグ２０２から読み出した情報に応じて行なってもよいし、予め設定された態様で行なってもよい。
【００５０】
利用者は、操作部１８０を操作して、電子ペーパ２０に記録すべき画像を選択すると、制御部１１０は、選択した画像を示す画像情報を取得し、画像情報に係る従属情報（ファイル名、ページ番号）電池１６１の残量、記録装置１０の稼動状況をパターン化した画像を示すサブ画像情報を生成し、記憶部１２０に記憶する。
【００５１】
そして、操作部１８０の操作などにより、電子ペーパ２０への画像の記録が指示されると、制御部１１０は、記憶部１２０に記憶したサブ画像情報を取得し、電圧印加部１３０、記録光発生部１４０を制御して、サブ電子ペーパ１７０に対して、サブ画像情報に応じた記録光１４１ａを照射する。これにより、図６（ａ）に示す初期状態の位置の記録光源１４１は、ＡＲ２方向に移動しながら、サブ電子ペーパ１７０の記録面１７０ｂに対して記録光１４１ａを走査して照射し、照射が終了すると停止する（図６（ｂ）参照）。このとき、サブ電子ペーパ１７０に対しての電圧印加は行われるが、電子ペーパ２０に対しては、電圧は印加されない。
【００５２】
その後、制御部１１０は、電圧印加部１３０、記録光発生部１４０を制御して、電子ペーパ２０に対して、選択された画像情報に応じた記録光１４１ａを照射する。これにより、図６（ｂ）に示す記録光源１４１の位置から、図６（ｃ）に示す位置に記録光源１４１が移動した後、ＡＲ３方向に移動しながら、電子ペーパ２０の記録面２０ｂに対して記録光１４１ａを走査して照射し、照射が終了すると停止する（図６（ｄ）参照）。このとき、電子ペーパ２０に対しての電圧印加は行われるが、サブ電子ペーパ１７０に対しては、電圧は印加されない。
【００５３】
電圧印加部１３０による記録電圧の印加が停止すると、図７に示すように、サブ電子ペーパ１７０の表示面１７０ａには、サブ画像情報が示す画像が表示され、電子ペーパ２０の表示面２０ａには、選択した画像情報が示す画像が表示される。そして、記録光源１４１は、図６（ａ）に示す初期状態の位置に移動するように制御される。
【００５４】
また、制御部１１０は、記録装置１０に電子ペーパ２０が保持された際に記憶部１２０に記憶したＲＦＩＤタグ２０２に記録されている情報を記憶部１２０から読み出し、電子ペーパ２０の累積書き換え回数値に１を加算し、電子ペーパ２０に記録した画像を示す画像情報に係る従属情報をＲＦＩＤリーダライタ部１５０に出力し、ＲＦＩＤタグ２０２へ記録させる。ＲＦＩＤタグ２０２への記録タイミングは、電子ペーパ２０への画像の記録の前後、記録中のいずれかとすればよい。以上が、記録装置１０の動作についての説明である。
【００５５】
以上、本発明の実施形態について説明したが、本発明は以下のように、さまざまな形態で実施可能である。
【００５６】
＜変形例１＞
上述した実施形態においては、サブ電子ペーパ１７０に、画像の記録を行うときに電子ペーパ２０と同じく電圧の印加が必要な表示媒体を用いたが、光記録型の表示媒体、硫化亜鉛に銅を結合させた蓄光体、アルミン酸ストロンチウム、ユウロピウム、ジスプロシウムを結合させた蓄光体、また、照射した光に応じて変色し、紫外線で元に戻る特性を有するフォトクロミック材料など、画像の記録を行うときに、電圧の印加が不要な表示媒体を用いてもよい。
【００５７】
＜変形例２＞
上述した実施形態においては、記録装置１０は、一の電子ペーパ２０と一のサブ電子ペーパ１７０に画像を記録するように構成されていたが、図８に示すように、複数の電子ペーパ２０−１、２０−２に画像を記録する構成としてもよい。この場合、複数の電子ペーパ２０−１、２０−２を各位置に保持するように複数の筐体１０１ｂ−１、１０１ｂ−２を設け、また、複数の透明板１０２ｂ−１、１０２ｂ−２を設ければよい。
【００５８】
また、制御部１１０は、各位置に保持される電子ペーパ２０−１、２０−２のそれぞれに記録する画像情報を取得して、それぞれに対して、画像の記録を行なうようにすればよい。そして、制御部１１０は、複数の画像情報に応じてサブ画像情報を生成すればよい。なお、サブ電子ペーパ１７０が複数あってもよい。このように、記録装置１０は、複数の表示媒体を保持し、記録光源１４１からの記録光１４１ａにより、保持された複数の表示媒体に画像を記録するものであればよい。
【００５９】
＜変形例３＞
上述した実施形態においては、サブ電子ペーパ１７０は、記録装置１０に固定されて保持されていたが、電子ペーパ２０のように取り外しが可能な構成としてもよい。図９に、本変形例における記録装置１０を用いて画像を記録した電子ペーパ２０とサブ電子ペーパ１７０とを示す。サブ電子ペーパ１７０に記録される画像は、図９に示すように、電子ペーパ２０に記録された画像の作者名、作画年次、題名などが表示されるようにしてもよい。このサブ電子ペーパ１７０は、電子ペーパ２０と構成を同じものとすればよく、図９に示す例においては、電極１７０１（電子ペーパ２０の電極２０１に相当）を有するものとする。また、記録装置１０にサブ電子ペーパ１７０を保持するために、記録装置１０には、筐体１０１ｂに相当する構成をサブ電子ペーパ１７０用に設ければよい。
【００６０】
＜変形例４＞
上述した実施形態においては、記録装置１０が電子ペーパ２０を保持していないときに、サブ電子ペーパ１７０に画像を記録しようとすると、透明板１０２ｂを介して、筐体１０１ａの内部空間に外光が到達し、サブ電子ペーパ１７０に対しても、外光が照射されることになる。そこで、図１０に示すように、記録装置１０は、透明板１０２ｂを覆い、外光を遮蔽する金属、樹脂などで構成されるシャッタ１０３を設けてもよい。シャッタ１０３は、軸１０３ａを中心にＡＲ４方向に移動するように構成される。
【００６１】
また、シャッタ１０３を閉じることにより透明板１０２ｂを覆っている状態を検知する検出手段が設けられている。この例においては、シャッタ１０３にはマグネット１０４が設けられ、シャッタ１０３を閉じたときにマグネット１０４の位置に対応する筐体１０１ａにマグネットセンサ１０５が設けられている。これにより、制御部１１０は、シャッタ１０３の開閉を検知し、シャッタ１０３が閉じているときに、サブ電子ペーパ１７０への画像の記録が行われる。
【００６２】
＜変形例５＞
上述した実施形態においては、サブ電子ペーパ１７０と電子ペーパ２０とに画像を記録するときには、制御部１１０は、サブ画像情報と画像情報とを取得し、それぞれに応じて記録光１４１ａを記録面１７０ｂ、２０ｂに対して照射していたが、サブ画像情報と画像情報とから一の全体画像情報を生成して、全体画像情報に応じて記録光１４１ａを記録面１７０ｂ、２０ｂに対して照射してもよい。全体画像情報が示す画像は、サブ画像情報が示す画像と画像情報が示す画像とを、サブ電子ペーパ１７０と電子ペーパ２０との位置関係に応じて配置したものとすればよい。
【００６３】
また、サブ電子ペーパ１７０と電子ペーパ２０とに画像を記録するときには、制御部１１０は、それぞれに印加される電圧を、記録光１４１ａの照射期間に応じて、個別に制御していたが、個別に制御せず、サブ電子ペーパ１７０と電子ペーパ２０とを一の表示媒体とみなして制御してもよい。
【００６４】
＜変形例６＞
実施形態において、記録装置１０は、サブ電子ペーパ１７０に記録された画像を、指示に応じて消去する構成としてもよい。この指示は、例えば、操作部１８０の操作（例えば、消去ボタンの操作）により行なわれてもよいし、電源部１６０から各部への電力の供給を停止して、電源をオフにする前に行われるようにしてもよい。
【００６５】
＜変形例７＞
上述した実施形態においては、記録光源１４１は、線状の記録光１４１ａを照射する光源であったが、サブ画像情報および画像情報に応じた面状の記録光を照射する光源であってもよい。例えば、２つの面状の光源が設け、それぞれの発光に係る面状の光が透明板１０２ａ、１０２ｂを透過し、サブ電子ペーパ１７０の記録面１７０ｂ、電子ペーパ２０の記録面２０ｂに照射されるようにすればよい。なお、面状の光源は２つでなく、１つとして、サブ電子ペーパ１７０の記録面１７０ｂ、電子ペーパ２０の記録面２０ｂの双方を照射するものとしてもよい。この場合、サブ電子ペーパ１７０、電子ペーパ２０のいずれか一方に画像の記録を行い、他方には画像の記録を行わないときには、記録が行われない方には、その期間は記録電圧が印加されないようにすることが望ましい。
【００６６】
＜変形例８＞
上述した実施形態においては、サブ電子ペーパ１７０、電子ペーパ２０への記録電圧は、それぞれの記録面１７０ｂ、２０ｂへの記録光１４１ａの照射に応じたタイミングでそれぞれ個別に印加されていたが、それぞれに共通のタイミングで印加されるようにしてもよい。この場合には、制御部１１０は、サブ電子ペーパ１７０、電子ペーパ２０への記録電圧が印加されている期間に、サブ画像情報および画像情報に応じた記録光１４１ａを走査して記録面１７０ｂ、２０ｂへの照射が終了するように、記録光源１４１を制御すればよい。
【図面の簡単な説明】
【００６７】
【図１】実施形態に係る記録装置ブロック図である。
【図２】実施形態に係る電子ペーパを上から見た構成を示す図である。
【図３】実施形態に係る電子ペーパ断面の構成を示す図である。
【図４】実施形態に係る記録装置を上から見た構成を示す図である。
【図５】実施形態に係る記録装置の断面の構成を示す図である。
【図６】実施形態に係る記録光源の移動態様を示す図である。
【図７】実施形態に係る記録装置による画像記録後の表示例を示す図である。
【図８】変形例２に係る記録装置の構成を示す図である。
【図９】変形例３に係る電子ペーパ、サブ電子ペーパの表示例を示す図である。
【図１０】変形例４に係る記録装置の構成を示す図である。
【符号の説明】
【００６８】
１０…記録装置、１０１ａ，１０１ｂ，１０１ｂ−１，１０１ｂ−２…筐体、１０２ａ，１０２ｂ，１０２ｂ−１，１０２ｂ−２…透明板、１０３…シャッタ、１０３ａ…軸、１０４…マグネット、１０５…マグネットセンサ、１１０…制御部、１２０…記憶部、１３０…電圧印加部、１３１…電極、１４０…記録光発生部、１４１…記録光源、１４１ａ…記録光、１５０…ＲＦＩＤリーダライタ部、１６０…電源部、１６１…電池、１７０…サブ電子ペーパ、１７０ａ…表示面、１７０ｂ…記録面、１７０１…電極、２０，２０−１，２０−２…電子ペーパ、２０ａ…表示面、２０ｂ…記録面、２０１…電極、２０２…ＲＦＩＤタグ、２０３…記録領域、２０４…フレーム、２１０，２７０…フィルム基板、２２０，２６０…透明電極、２３０…光導電層、２４０…着色層、２５０…表示素子層
【図１】
2010107592.tif 000003
【図２】
2010107592.tif 000004
【図３】
2010107592.tif 000005
【図４】
2010107592.tif 000006
【図５】
2010107592.tif 000007
【図６】
2010107592.tif 000008
【図７】
2010107592.tif 000009
【図８】
2010107592.tif 000010
【図９】
2010107592.tif 000011
【図１０】
2010107592.tif 000012